(57)【要約】オリジナルの記録担体から複製された記録担体を区別するように、記録方向に対して垂直方向に方向付けられたパターンがＲＯＭタイプの記録担体に含まれている。違法な複製中に、容易に検出することができる空間的関係は擾乱される。それらのパターンは、光スポットの直径の範囲内に両方のパターンを含むことにより、それ故、読み取りパターンが実際に空間的に共に接近したままであることを確実にすることにより、同じ単一の読み取りスポットにより同時に読み取られることができる。違法複製によりもたらされる擾乱の容易な検出を可能にする特定のパターンが用いられる。
2008502087.tif 000002
【特許請求の範囲】
【請求項１】
少なくとも１つのマークを有する第１パターン及び少なくとも１つのマークを有する第２パターンを用いて情報及び記録担体識別を記録するためのマークを有する記録担体であって、前記第１パターン及び前記第２パターンは、前記第２パターンが単一の読み取りスポットにより前記第１パターンのマークと共に同時に読み取られることができるように、位置付けられている、ことを特徴とする記録担体。
【請求項２】
請求項１に記載の記録担体であって、前記第１パターンは第１トラックに位置付けられ、前記第２パターンは、前記第１トラックと直接隣接する第２トラックに位置付けられている、ことを特徴とする記録担体。
【請求項３】
請求項２に記載の記録担体であって、前記第１トラック及び第２トラックは螺旋の一部である、ことを特徴とする記録担体。
【請求項４】
請求項３に記載の記録担体であって、前記第１トラック及び第２トラックは同じ螺旋の一部である、ことを特徴とする記録担体。
【請求項５】
請求項２又は３に記載の記録担体であって、前記記録担体識別は第３パターンを有し、該第３パターンは前記第１トラックに直接隣接する第３トラックに位置付けられている、ことを特徴とする記録担体。
【請求項６】
請求項５に記載の記録担体であって、前記第１パターン、前記第２パターン及び前記第３パターンは読み取り方向に対して垂直の方向にアライメントされている、ことを特徴とする記録担体。
【請求項７】
請求項６に記載の記録担体であって、前記第２パターン及び前記第３パターンは同じである、ことを特徴とする記録担体。
【請求項８】
請求項７に記載の記録担体であって、前記マークは長さ変調され、前記第１パターンは第１マーク長を用い、前記第２パターン及び前記第３パターンは、前記第１マーク長と異なる第２マーク長を用いる、ことを特徴とする記録担体。
【請求項９】
請求項８に記載の記録担体であって、前記記録担体識別は、前記第１パターンが前記第１マーク長を用い、前記第２パターン及び前記第３パターンが前記第２マーク長を用いる前記第１パターン、前記第２パターン及び前記第３パターンの第１組み合わせと、前記第１パターンが前記第２マーク長を用い、前記第２パターン及び前記第３パターンが前記第１マーク長を用いる前記第１パターン、前記第２パターン及び前記第３パターンの第２組み合わせと、を用いて記録される、ことを特徴とする記録担体。
【請求項１０】
記録担体に記録されたマークを検索するための読み取り手段及び記録担体識別検出手段を有する再生装置であって、前記読み取り手段は、少なくとも１つのマークを有する第１パターン及び少なくとも１つのマークを有する第２パターンをカバーする記録担体に同時に光スポットを投射するように備えられている、ことを特徴とする再生装置。
【請求項１１】
請求項１０に記載の再生装置であって、前記読み取り手段は、第１トラック及び隣接する第２トラックに前記光スポットを同時に投射し、前記第１トラックに位置付けられた前記第１パターンの一部及び前記第２トラックに位置付けられた前記第２パターンの一部をカバーするように備えられている、ことを特徴とする再生装置。
【請求項１２】
請求項１０に記載の再生装置であって、前記読み取り手段は、第１トラック、隣接する第２トラック及び隣接する第３トラックに前記光スポットを同時に投射し、前記第１トラックに位置付けられた前記第１パターンの一部、前記第２トラックに位置付けられた前記第２パターンの一部及び前記第３トラックに位置付けられた前記第３パターンの一部をカバーするように備えられている、ことを特徴とする再生装置。
【請求項１３】
請求項１２に記載の再生装置であって、前記記録担体識別検索手段は、隣接して存在する前記第１パターン、前記第２パターン及び前記第３パターンから前記記録担体識別を検索するように備えられ、前記第２パターン及び前記第３パターンは同じである、ことを特徴とする再生装置。
【請求項１４】
請求項１２に記載の再生装置であって、前記記録担体識別検索手段は、前記第１パターンが前記第１マーク長を用い、前記第２パターン及び前記第３パターンが前記第２マーク長を用いる前記第１パターン、前記第２パターン及び前記第３パターンの第１組み合わせと、前記第１パターンが前記第２マーク長を用い、前記第２パターン及び前記第３パターンが前記第１マーク長を用いる前記第１パターン、前記第２パターン及び前記第３パターンの第２組み合わせと、から前記記録担体識別を検索するように備えられている、ことを特徴とする再生装置。
【発明の詳細な説明】
【技術分野】
【０００１】
本発明は、少なくとも１つのマークを有する第１パターンと少なくとも１つのマークを有する第２パターンとを用いて記録された記録担体識別及び情報を記録するためのマークを有する記録担体、並びに、記録担体に記録されたマークを検索するための読み取り手段及び記録担体識別検出手段を有する再生装置に関する。
【背景技術】
【０００２】
そのような装置については、欧州特許第０５４５４７２号明細書に記載されていて、その特許文献において、記録担体を識別し、それ故、記録担体のコンテンツの著作権の制御を可能にするために記録担体に記録されている第１パターン及び第２パターンを用いる著作権制御システムについて開示されている。第１パターンは、第２パターンと異なるマークの長さを有する。標準的な再生が用いられるとき、それらのマークに記憶されるデータが検索され、その検索中、マークの長さについての情報は、再ロックのために失われる。レコーダは、再ロックが起こる前に、マーク長の情報にアクセスすることができ、それ故、記憶されている情報を検索することができる。
【０００３】
そのような記録担体は、再ロックが回避される場合に記録担体がコピーされる欠点を有する。
【特許文献１】欧州特許第０５４５４７２号明細書
【発明の開示】
【発明が解決しようとする課題】
【０００４】
本発明の目的は、データ検索中に、データの再ロックを簡単に回避することによりコピーされない記録担体を提供することである。
【課題を解決するための手段】
【０００５】
この目的を達成するために、本発明にしたがった記録担体は、第２パターンのマークが単一の読み取りスポットにより第１パターンのマークと共に同時に読み取られることができるように、第１パターン及び第２パターンが位置付けられることを特徴とする。
【０００６】
パターンが、同じ単一の読み取りスポットにより同時に読み取られるようになっている場合、それらのパターンは光スポットの直径の範囲内に両者共存在する必要があり、即ち、それらのパターンは共に空間的に近く、それらの相対的位置は非常に重要である。
【０００７】
一の記録担体から他の記録担体にデータをコピーする複製操作は、再ロックを防ぐことが可能であるが、その操作は、ソースの記録担体と同じであるように目的の記録担体におけるデータの正確な位置を確実にすることはできない。トラックの間隔における僅かな変化は、マークのパターンが互いに対してシフトする結果をもたらす。そのような相対的な位置の変化は、パターンが単一の光スポットによってはもはやカバーされないために、読み取りが単一の光スポットにより実行されるときには、容易に検出されない。それ故、記録担体は、不法コピーとして識別される。したがって、本発明の目的が達成される。
【０００８】
記録担体の実施形態は、第１パターンが第１トラックにおいて位置付けられ、第２パターンが第１トラックに直接隣接している第２トラックにおいて位置付けられることを特徴とする。
【０００９】
２つの隣接トラックが、それらの２つのトラックにおける隣接パターンの同時読み取りを可能にする光スポットによりカバーされるように、光スポットは拡大される、又はトラックピッチは減少される。
【００１０】
記録担体の他の実施形態は、第１トラック及び第２トラックが螺旋の一部であることを特徴とする。
【００１１】
しばしば、記録担体は、パターンが記憶される１つ又はそれ以上の螺旋を有する。螺旋の一連の書き込みの性質のために、その螺旋のピッチ又はその螺旋におけるマークの長さの何れの変化は、ソースの記録担体における螺旋から目的の記録担体における螺旋にマークをコピーするとき、マークのオフセットに繋がる。したがって、螺旋状トラックを有する記録担体は、本発明について、非常に適する。
【００１２】
記録担体の更なる実施形態は、第１トラック及び第２トラックが同じ螺旋の一部であることを特徴とする。
【００１３】
パターンが同じ螺旋において記憶されているとき、コピーのための、ピッチ又はマークの長さにおける何れの変化は、パターン間のオフセットをもたらす。それ故、複製された記録担体は識別されることができる。
【００１４】
記録担体の更なる実施形態は、記録担体識別が第３パターンを有し、その第３パターンは、第１トラックに直接隣接した第３トラックに位置付けられる。
【００１５】
第１トラックに隣接した第３トラックに第３パターンを有することにより、複製からもたらされるオフセットは、第２及び第３パターンの両方が第１パターンに比べてオフセットされるために、より明らかであり、検出可能である。
【００１６】
記録担体の更なる実施形態は、第１パターン、第２パターン及び第３パターンが読み取り方向に対して垂直な方向にアライメントされていることを特徴とする。
【００１７】
読み取り方向に対して垂直な方向に並ぶようにそれら３つのパターンをアライメントすることにより、複製は、容易に検出されるパターン間でアライメントが必要ないようになる。
【００１８】
記録担体の更なる実施形態は、第２パターン及び第３パターンは同じであることを特徴とする。
【００１９】
同じである第２パターン及び第３パターンを有することにより、アライメントされたそれらの特定のパターンは簡単化される。記録担体の標準的なデータ部分においては、同じであり、アライメントされたそれらの特定のパターンが得られる見込みはない。したがって、検出は簡単化される。
【００２０】
記録担体の更なる実施形態は、マークは変調された長さを有し、第１パターンは第１マーク長を用い、第１パターン及び第３パターンは、第１マーク長と異なる第２マーク長を用いる。
【００２１】
特定のマーク長の組み合わせを用いることにより、データは符号化される。各々の組み合わせは値を表す。３つのパターンのそれらの組み合わせは、記録担体においてアライメントされた方式で得られる可能性は小さく、それ故、それらの組み合わせを用いて符号化される記録担体識別情報の検索が記録担体における標準的なデータによっては乱されない。
【００２２】
記録担体が、第１パターンは第１マーク長を用い、第２パターン及び第３パターンは第２マーク長を用いる第１パターン、第２パターン及び第３パターンの第１組み合わせと、第１パターンは第２マーク長を用い、第２パターン及び第３パターンは第１マーク長を用いる第１パターン、第２パターン及び第３パターンの第１組み合わせとを用いることを、記録担体の更なる実施形態は特徴とする。
【００２３】
これは、相補的な組み合わせをつくり、即ち、一の組み合わせの２つの隣接トラックにおけるパターンについてのマーク長が、他の組み合わせの中央トラックにおけるパターンに対して用いられる。これは、単一の読み取りスポットによりそれらの領域を読み取る検出は２つの別個のパターン及び反射レベルに遭遇することを意味する。第１の組み合わせは、例えば、‘０’を表す一方、第２の組み合わせは‘１’を表す。３つの隣接トラックにおける一連のそれらのパターンの組み合わせは、それ故、記録担体が複製されるとすぐに破壊される記録担体識別情報を記憶するように用いられることが可能である。
【００２４】
本発明にしたがった再生装置は、読み取り手段が、少なくとも１つのマークを有する第１パターン及び少なくとも１つのマークを有する第２パターンをカバーする記録担体に光スポットを同時に投影するように備えられていることを特徴とする。
【００２５】
記録担体がオリジナルのものであるか違法コピーであるかを判定するように、記録担体からの記録担体識別データを検索するために必要な再生装置は、その情報がオリジナルの記録担体を容易に表すことを確実にする必要がある。
【００２６】
パターンが、同じ単一の読み取りスポットにより同時に読み取られるようになっている場合、それらのパターンは、光スポットの直径の範囲内に両者が存在する必要があり、それ故、それらは空間的に共に接近していて、それらの相対的位置は非常に重要である。
【００２７】
一の記録担体から他の記録担体にデータをコピーする複製操作は再ロックを防ぐことが可能であるが、その操作は、ソースの記録担体と同じであるように目的の記録担体におけるデータの正確な位置を確実にすることはできない。トラックの間隔における僅かな変化は、マークのパターンが互いに対してシフトする結果をもたらす。そのような相対的な位置の変化は、パターンが単一の光スポットによってはもはやカバーされないために、読み取りが単一の光スポットにより実行されるときには、容易に検出されない。それ故、記録担体は、不法コピーとして識別される。パターンが単一のスポットによりカバーされる場合、再生装置は予測されるデータを検索することができ、再生装置は、その記録担体がオリジナルの記録担体であることを表すことができる。したがって、本発明の目的は達成される。
【００２８】
再生装置の実施形態は、読み取り手段が、第１トラック及び隣接する第２トラックにおいて同時に光スポットを投影するように備えられ、第１トラックにおいて位置付けられた第１パターンの部分及び第２トラックにおいて位置付けられた第２パターンの部分をカバーすることを特徴とする。
【００２９】
光スポットは読み取り方向に動くため、その光スポットにより一の又は両方のパターン全体をカバーする必要はない。一連の読み取りは、記録担体識別を検索するために適切である。
【００３０】
再生装置の更なる実施形態は、読み取り手段は、第１トラック、隣接する第２トラック及び隣接する第３トラックにおいて同時に光スポットを投影するように備えられ、第１トラックにおいて位置付けられた第１パターンの部分、第２トラックにおいて位置付けられた第２パターンの部分及び第３トラックにおいて位置付けられた第３パターンの部分をカバーすることを特徴とする。
【００３１】
第１トラックに隣接した第３トラックに第３パターンを有することにより、複製からもたらされるオフセットは、第２及び第３パターンの両方が第１パターンに比べてオフセットされるために、より明らかであり、検出可能である。
【００３２】
読み取りスポットは第１トラックに中心を有するようにされ、読み取りスポットの端部はまた、２つの隣接トラック、即ち、第２及び第３トラックをカバーする。
【００３３】
再生装置の更なる実施形態は、記録担体識別検索手段が、隣接して存在する第１パターン、第２パターン及び第３パターンから記録担体識別を検索するように備えられ、この場合、第２パターン及び第３パターンが同じであることを特徴とする。
【００３４】
第２及び第３パターンが同じである組み合わせから記録担体識別を検索することにより、それらのアライメントされた螺旋パターンの検出は簡単化される。記録担体の標準的データ部分においては、同じであり、アライメントされたそれらの特定のパターンが得られる見込みはない。したがって、検出は簡単化される。
【００３５】
再生装置の更なる実施形態は、記録担体識別検索手段は、第１パターンが第１マーク長を用い、第２パターン及び第３パターンが第２マーク長を用いる第１パターン、第２パターン及び第３パターンの第１組み合わせ、並びに、第１パターンが第２マーク長を用い、第２パターン及び第３パターンが第１マーク長を用いる第１パターン、第２パターン及び第３パターンの第２組み合わせから記録担体識別を検索するように備えられていることを特徴とする。
【００３６】
これは、相補的な組み合わせをつくり、即ち、一の組み合わせの２つの隣接トラックにおけるパターンについてのマーク長が、他の組み合わせの中央トラックにおけるパターンに対して用いられる。これは、単一の読み取りスポットによりそれらの領域を読み取る検出は２つの別個のパターン及び反射レベルに遭遇することを意味する。第１の組み合わせは、例えば、‘０’を表す一方、第２の組み合わせは‘１’を表す。３つの隣接トラックにおける一連のそれらのパターンの組み合わせは、それ故、記録担体が複製されるとすぐに破壊される記録担体識別情報を記憶するように用いられることが可能である。
【００３７】
例えば、二次元データパターンの検出について、二次元記録担体を用いて、複数の読み取りスポットが用いられる場合、このような読み取りの概念はまた、二次元のコピー防止キーを検索するように用いられる。複数スポットの読み取り装置の基本実施形態においては、中央スポットの軸外に位置する衛星スポットを、隣接トラックにおけるデータパターンを測定するために用いることが可能である。
【発明を実施するための最良の形態】
【００３８】
図１は、２つの隣接トラックにおいてパターンを有する記録担体の一部及び光スポットを示している。
【００３９】
第２記録担体１は、マーク４ａ、４ｂ、４ｃ、５ａ、５ｂ、５ｃが記録されているトラック４、５を有する螺旋２を有する。第１トラック４はマーク４ａ、４ｂ、４ｃのパターンを有する。第２トラック５はマーク５ａ、５ｂ、５ｃのパターンを有する。
【００４０】
第１トラックの一部及び第２トラックの一部を読み取ることができる光スポット７は、同時に円で示されている。
【００４１】
記録担体１が中央から外側に読み取られるとき、図１における読み取り方向は、２つのトラック４、５を示す拡大された部分において左から右への方向である。
【００４２】
光スポット７が単一のトラックのみをカバーするときには、必要とされる空間同期化を与える必要はなく、パターンのアライメントが検出される。第１パターン及び第２パターンはアライメントされた状態で示され、その状態は、複製処理により導入される何れのオフセットを検出することを容易にするが、第１パターンと第２パターンとの間の空間的関係が理解されている限り、第１パターンと第２パターンとの間の空間的関係における変化は、オリジナルの記録担体に代えて記録担体が複製であることを示すために、それらの２つのパターンはオリジナルのパターンにアライメントされる必要はない。
【００４３】
また、明確化のために、本発明が機能する必要がないかの如く、個々のマークはアライメントされて示されている。それらのマークは、トラックのピッチがソースの記録担体と目的の記録担体との間の差分であるときに、図３のマークの相対的位置における複製の効果を明確に示すように、アライメントされて示されている。
【００４４】
図２は、３つの隣接トラックのパターンを有する記録担体の一部及び光スポットを示している。
【００４５】
記録担体１は、マーク４ａ、４ｂ、４ｃ、５ａ、５ｂ、５ｃ、６ａ、６ｂ、６ｃが記録されているトラック４、５、６を有する螺旋２を有する。第１トラックはマーク４ａ、４ｂ、４ｃのパターンを有する。第２トラック５はマーク５ａ、５ｂ、５ｃのパターンを有する。第３トラック６はマーク６ａ、６ｂ、６ｃのパターンを有する。
【００４６】
第１トラック、第２トラック及び第３トラックの一部を同時に読み取ることができる光スポット７が円で示されている。
【００４７】
記録担体１が中央から外側に読み取られるとき、図２における読み取り方向は、３つのトラック４、５、６を示す拡大された部分において左から右への方向である。
【００４８】
光スポット７が単一のトラックのみをカバーするときには、必要とされる空間同期化を与える必要はなく、パターンのアライメントが検出される。第１パターン、第２パターン及び第３パターンはアライメントされた状態で示され、その状態は、複製処理により導入される何れのオフセットを検出することを容易にするが、第１パターン、第２パターン及び第３パターンの間の空間的関係が理解されている限り、第１パターン、第２パターン及び第３パターンの間の空間的関係における変化は、オリジナルの記録担体に代えて記録担体が複製であることを示すために、それらの３つのパターンはオリジナルのパターンにアライメントされる必要はない。
【００４９】
また、明確化のために、本発明が機能する必要がないかの如く、個々のマークはアライメントされて示されている。それらのマークは、トラックのピッチが元々の記録担体と目的の記録担体との間の差分であるときに、図４のマークの相対的位置における複製の効果を明確に示すように、アライメントされて示されている。
【００５０】
図３は、２つの隣接トラックのパターンの複製の効果を示している。目的の記録担体８の螺旋２のピッチがソースの記録担体１と異なるとき、オリジナルの記録担体においてアライメントされたパターンは、目的の記録担体に対して複製されているときには、もはやアライメントされない。図４から理解できるように、目的の記録担体８の第２トラック５の第２パターンのマーク５ａ、５ｂ、５ｃは、目的の記録担体の第１トラック４の第１パターンのマーク４ａ、４ｂ、４ｃに対して相対的に変位される。その変位は、検出されるパターン間のオフセットを与え、そのことは、記録担体がオリジナルの記録担体でないことを示すものである。
【００５１】
図４は、３つの隣接トラックのパターンの複製の効果を示している。
【００５２】
目的の記録担体８の螺旋２のピッチがソースの記録担体１と異なるとき、オリジナルの記録担体においてアライメントされたパターンは、目的の記録担体に対して複製されているときには、もはやアライメントされない。図４から理解できるように、目的の記録担体８の第２トラック５の第２パターンのマーク５ａ、５ｂ、５ｃ、及び第３トラックの第３パターンのマーク６ａ、６ｂ、６ｃの両方は、目的の記録担体の第１トラック４の第１パターンのマーク４ａ、４ｂ、４ｃに対して相対的に変位される。その変位は、検出されるパターン間のオフセットを与え、そのことは、記録担体がオリジナルの記録担体でないことを示すものである。
【００５３】
図５は詳細にパターンを示している。
【００５４】
第１の組み合わせ５０は、３つの隣接トラック４、５、６において隣接して位置しているパターンを有する。その第１の組み合わせ５０は、第１マーク長を有する中央の第１トラック４を有し、両方の外側のトラック５、６、即ち、第２トラック５及び第３トラック６において第２マーク長を有する第２パターンを有する。３つのトラック４、５、６のうち外側トラックのパターンは同じであり、そのことはそれらのパターンの検出を簡単化しているが、更に本発明が適切に機能するようにするときは、異なることがまた、可能である。第１の組み合わせ５０は、例えば、２値の“０”の値に対応する。
【００５５】
第２の組み合わせ５１はまた、３つの隣接トラック４、５、６において隣接して位置しているパターンを有する。その第２の組み合わせ５１は、中央の第１トラック４において第２マーク長を有する第２パターンを有し、両方の外側のトラック５、６、即ち、第２トラック５及び第３トラック６において第１マーク長を有する第１パターンを有する。３つのトラック４、５、６のうち外側のトラックのパターンは同じであり、そのことはそれらのパターンの検出を簡単化しているが、更に本発明が適切に機能するようにするときは、異なることがまた、可能である。第２の組み合わせ５１は、例えば、２値の“１”の値に対応する。
【００５６】
パターンのそれら２つの組み合わせを用いて、データは、記録担体の複製により変えられるデータをオリジナルの記録担体に記憶することができる。
【００５７】
それ故、与えられるコピー保護マークは、光学的クロストークのために存在する横方向のデータパターンを有する。例えば、中央トラック４に存在する長いＩ８ピットを考慮する。完全にアライメントされた短いＩ２ピットが隣接トラック５、６に書き込まれた場合、この基本パターンは‘０’とみなされる。また、それらの基本パターンの特定数はカスケードされる。図５に示すように、完全にアライメントされたＩ８ピットにより囲まれている一連の３つのＩ２ピットは、基本パターン‘１’とみなされる。
【００５８】
他の基本パターンは、Ｉ２ピットが側にある、Ｉ８−Ｉ８パターン、即ち、Ｉ８ランド間のＩ８ピット、又は、Ｉ８ピットが側にある、Ｉ２−Ｉ２パターン、即ち、Ｉ２ランド間のＩ２ピットであることが可能である。他の種類の又は基本パターンがまた、可能であるが、基本的必要条件は、隣接トラックが中央開口信号により明確に検出可能であることである。
【００５９】
上記例は、マークの長さの違いを示しているが、反射率変調のようなマークの差を可能にする他の実施例を、同様に用いることが可能であることは明らかである。
【００６０】
図６は、記録担体識別情報を検索するための再生装置を示している。
【００６１】
記録担体６０から記録担体識別を検索するための再生装置６１は、光ピックアップ６２に有する対象物として図６に同時に示している光ピックアップ装置６２を有する。検出器６４は、光ピックアップ６２から得られる信号を処理し、処理器６５に得られたデータを供給し、ここで、そのデータは、光ピックアップ６２の正確なトラッキング及び焦点のための信号を得るために用いられる。それらの制御信号は、次いで、光ピックアップ６２の対象物の位置を実際に補正するアクチュエータ手段６３に供給される。アクチュエータ６３は光ピックアップ６２に統合されるが、その特定の機能のために、ここでは、別個に示している。本発明の空間的に補正されたパターンの組み合わせを読み取るように、処理器６５は、隣接トラックにおけるパターンが同時に読み取られるように、光スポットが中央のトラックばかりでなく、隣接トラックの一部もカバーするように、３つのトラックの中央のトラックをトラッキングし、光スポットをフォーカシングするように、アクチュエータ手段６３を制御する。光ピックアップ６２から得られた信号を処理することにより、処理器６５は、それらのトラックにおけるパターンが互いに対して尚も適切に位置しているか又は不正な複写のために移動していないかどうかを判定することができる。
【００６２】
処理器６５はまた、図５に関して説明したように、記録担体識別に記憶されている情報を検索することができる。処理器６５は、次いで、再生装置６１の中央処理器６６に検索された情報を供給する。この情報に基づいて、中央処理器６６は、記録担体６０におけるコンテンツの著作権の状況がどうであるか、及び記録担体６０の再生が可能であるかどうかを判定することができる。再生が可能である場合、中央処理器は、再生装置６１の出力６８に記録担体６０の通常コンテンツを供給する。
【００６３】
図７は、ＲＯＭディスクを製造するために、マスターにキーを記録するための実施形態を示している。
【００６４】
最終的なオリジナルの記録担体が製造されるようになっているマスターディスクの形成のために、マスターディスクの回転及び書き込みビームの変調の同期化は重要である。トラック７１がＣＡＶモード（一定の角速度）で書き込まれる場合、隣接トラックの同期化が実際になされる。しかし、物理チャネルビット長が同じに、例えば、２５Ｇ  ＢＤ−ＲＯＭについては７４．５ｎｍに保たれなければならないために、書き込みパルス又はクロックは線形速度は一定の角速度において増加する半径と共に増加する。殆どのマスタリング装置は一定の線形速度で動作し、そのことは、隣接トラックの同期化が、ディスク回転及び光変調（クロック）を同期化することにより達成される必要があることを意味する。最近の実験により、同期化は、非常に高い空間精度で可能であることが示された。
【００６５】
完全なディスクは、それ故、同期化されたデータトラックを有する領域を除いて、ＣＬＶ（一定線形速度）モードで書き込まれ、それらの領域はＣＡＶモードで書き込まれる。回転及び変位速度並びに位置は、ＣＡＶモードとＣＬＶモードとの間で適切に切り換えられるように適切に認識される必要がある。トラックの同期化は、少なくとも２回転プラス本発明にしたがったＲＯＭがスクランブルされるＥＣＣブロックの数だけ続く必要がある。例えば、ＣＡＶモードで書き込むことにより達成される同期化は、アドレスＡで開始し、アドレスＤまで実行される。アドレスＢとＣとの間の中央トラックの部分７０は、２つの隣接データトラックにおいて同期化されたパターンが側にある。アドレスＢとアドレスＣとの間の中央トラックの部分７０は、幾つかのＥＣＣブロックに対して１を有することが可能である。データパターンは、基本パターン‘１’、即ち、同期化されたＩ８ピットが側にあるＩ２ピットのパターンと、基本パターン‘０’、即ち、同期化されたＩ２ピットが側にあるＩ８ピットのパターンとを有する。
【００６６】
アドレスＢとＣとの間で規定された同期化がなされた領域は、必要とされる限り選択されることが可能であり、例えば、１００個のＥＣＣブロックを有することが可能である。その場合、同期化領域は、幾つかの同期化データトラックを有する。
【００６７】
トラックのピッチを減少させることは、ＲＯＭディスクのデータ密度を更に増加させる可能性を有する。トラックピッチＴＰ＝２７０ｎｍ及びチャネルビット長６０ｎｍ（３７ＧＢ）がビタビ復号器の場合に検索可能データ（シンボルエラーレートがＥ−４のオーダーである）に繋がることを示す液浸マスタリングによる最近の試みは、ＢＤ読み取り光学系と組み合わせて用いられた。光クロストーク干渉は、トラックピッチが短くなればなる程、悪化するため、横方向のクロストークに基づくコピー防止キーは、特に、減少したトラックピッチに伴う高密度ディスクに対して適する。将来の基準は、本発明の実施形態を容易に可能にする減少したトラックピッチに基づく可能性がある。
【００６８】
トラックピッチは、更に２００ｎｍまで減少され、フォーカシングされるレーザスポットの物理的特性に基づき、ＣＢＬは４５乃至５０ｎｍまで減少される。減少したトラックピッチは光クロストークの非常な増加を意味し、そのことは更に、二次元のコピー保護キーの要請を可能にする。
【図面の簡単な説明】
【００６９】
【図１】光スポット及び２つの隣接トラックにパターンを有する記録担体の一部を示す図である。
【図２】光スポット及び３つの隣接トラックにパターンを有する記録担体の一部を示す図である。
【図３】２つの隣接トラックのパターンにおける複製の効果を示す図である。
【図４】３つの隣接トラックのパターンにおける複製の効果を示す図である。
【図５】パターンを詳細に示す図である。
【図６】記録担体識別情報を検索するための再生装置を示す図である。
【図７】ＲＯＭディスクを製造するマスターにおけるキーを記録するための実施形態を示す図である。
【図１】
2008502087.tif 000003
【図２】
2008502087.tif 000004
【図３】
2008502087.tif 000005
【図４】
2008502087.tif 000006
【図５】
2008502087.tif 000007
【図６】
2008502087.tif 000008
【図７】
2008502087.tif 000009
【国際調査報告】
2008502087.tif 000010
2008502087.tif 000011
2008502087.tif 000012